(57)【特許請求の範囲】
【請求項１】
第１バックライトを備える第１ディスプレイと、
第２バックライトを備える第２ディスプレイと、
前記第１ディスプレイと前記第２ディスプレイとに画像を表示する表示部と、
加速度センサと、
前記第１バックライトと前記第２バックライトとの明るさを、前記加速度センサから取得した加速度から定まる自端末の向きに応じて互いに異なる明るさに設定する制御部と
を備えることを特徴とする携帯通信端末。
【請求項２】
前記制御手段は、前記第１ディスプレイと前記第２ディスプレイとのうち、前記加速度センサから出力された加速度から求まる鉛直方向における下側となるディスプレイに対応するバックライトの明るさを、上側のディスプレイに対応するバックライトの明るさよりも暗くなるように制御する
ことを特徴とする請求項１記載の携帯通信端末。
【請求項３】
前記第１ディスプレイ及び前記第２ディスプレイのうち少なくともいずれか一方がタッチパネルである
ことを特徴とする請求項１または２に記載の携帯通信端末。
【請求項４】
第１バックライトを備える第１ディスプレイと、第２バックライトを備える第２ディスプレイと、加速度センサとを備える携帯通信端末におけるバックライト制御方法であって、
前記第１ディスプレイと前記第２ディスプレイとに画像を表示する表示ステップと、
前記第１バックライトと前記第２バックライトとの明るさを、前記加速度センサから取得した加速度から定まる自端末の向きに応じて互いに異なる明るさに設定する制御ステップとを含む
ことを特徴とするバックライト制御方法。
【請求項５】
第１バックライトを備える第１ディスプレイと、第２バックライトを備える第２ディスプレイと、加速度センサとを備える携帯通信端末のコンピュータにバックライトを制御させるための処理手順を示したバックライト制御プログラムを記録したコンピュータ読み取り可能な記録媒体であって、
前記処理手順は、
前記第１ディスプレイと前記第２ディスプレイとに画像を表示する表示ステップと、
前記第１バックライトと前記第２バックライトとの明るさを、前記加速度センサから取得した加速度から定まる自端末の向きに応じて互いに異なる明るさに設定する制御ステップとを含む
ことを特徴とする記録媒体。
【発明の詳細な説明】
【技術分野】
【０００１】
本発明は携帯通信端末に関し、特にそのディスプレイのバックライトの制御に関する。
【背景技術】
【０００２】
携帯通信端末の一例としての携帯電話機は、筺体の小型化による表示面積の減少を補うため、２つのディスプレイを備えることで、より多くの情報を表示できるように工夫されている。
また、その他の小型の筺体としては、例えば、特許文献１に示されるように、デジタルカメラなどもある。当該デジタルカメラは、２つのディスプレイを有し、主ディスプレイで撮影画像を表示し、副ディスプレイで撮影画像中に人物の顔を検出できた場合に、その顔を拡大表示している。
【先行技術文献】
【特許文献】
【０００３】
【特許文献１】特開２００８−２３６４８９号公報
【発明の概要】
【発明が解決しようとする課題】
【０００４】
ところで、携帯電話機のような通信機器は、可能な限りいつでも通話を実行できる状態になっていることが望ましい。その為には、内蔵電池の持ちが長いのが望ましいものの、上述のように、２つのディスプレイによって表示を行う場合には、双方のディスプレイのバックライトを点灯させるために、単位時間当たりの消費電力が高くなり、その分電池の消耗が速く頻繁に充電が必要になるという煩わしさがある。
【０００５】
本発明は、上記課題に鑑みて成されたものであり、２つのディスプレイを備える携帯通信端末において、双方のディスプレイで表示を実行しつつも、可能な限り消費電力を抑制することができる携帯通信端末を提供することを目的とする。
【課題を解決するための手段】
【０００６】
上記課題を解決するため、本発明に係る携帯通信端末は、第１バックライトを備える第１ディスプレイと、第２バックライトを備える第２ディスプレイと、前記第１ディスプレイと前記第２ディスプレイとに画像を表示する表示部と、前記第１バックライトと前記第２バックライトとの明るさを決定し、前記第１バックライトと前記第２バックライトとのそれぞれの明るさを前記第１ディスプレイと前記第２ディスプレイとに表示する画像に基づいて互いに異なる明るさに設定する制御部とを備えることを特徴としている。
【発明の効果】
【０００７】
上述のような構成によって、２つのディスプレイを備え、両ディスプレイの双方で表示を実行しつつも、携帯通信端末の消費電力を抑制することができる。
【図面の簡単な説明】
【０００８】
【図１】携帯電話機の外観図
【図２】携帯電話機の機能構成図
【図３】携帯電話機の動作を示すフローチャート
【図４】携帯電話機の表示画面例
【図５】携帯電話機の表示画面例
【図６】携帯電話機の表示画面例
【図７】携帯電話機の表示画面例
【図８】携帯電話機の表示画面例
【図９】携帯電話機の表示画面例
【発明を実施するための形態】
【０００９】
＜実施の形態＞
＜構成＞
以下、本発明の一実施形態である携帯電話機について図面を用いて説明する。
図１は、携帯電話機１００の外観図である。図１に示すように携帯電話機１００は、２つのディスプレイを有する携帯電話機である。
【００１０】
携帯電話機１００は、図１（ａ）〜（ｃ）に示されるように、第１筐体１と第２筐体２とが相対的にスライド可能な端末であり、第１筐体１、第２筐体２、及び第１筐体１と第２筐体２とを連結する連結機構４、４’を備えている。
第１筐体１には、第１ディスプレイ１３１、スピーカ１２１、マイク１２２、第２筐体２には、第２ディスプレイ１３３が備えられている。
【００１１】
第２筐体２の連結機構４が備えられる側面には、図１（ａ）、（ｂ）に示すように、ガイド溝６が設けられている。なお、第２筐体２の連結機構４’が備えられる側面においても、同様に、ガイド溝６’（図示せず）が設けられている。
連結機構４は、図１（ａ）、（ｂ）に示すように、第１筐体１の側面と第２筐体２の側面とを互いに連結するための連結駒５とピン３０、３１を有している。また、連結機構４’は、連結機構４と同様の機構を有し、連結駒５’とピン３０’、３１’を備える。
【００１２】
ピン３０、３０’は第１筐体１に枢支され、ピン３１、３１’はガイド溝６、６’に係合している。ピン３１、３１’がガイド溝６、６’に沿ってスライドすることにより、第１筺体１と第２筺体２とが相対的にスライドする。
携帯電話機１００は、図１（ａ）に示すように、第２筐体２に第１筐体１が重ね合わさり、第２ディスプレイ１３３が視認できない閉状態から、連結機構４、４’により、ピン３１、３１’がガイド溝６、６’に沿ってスライドすることにより、第１筐体１が第２筐体２の表面に沿って移動し、その後、ピン３０、３０’それぞれがピン３１、３１’それぞれを中心として回転することにより、図１（ｂ）、（ｃ）に示すように、第１筐体１の表面と第２筐体２の表面とが略同一平面上に揃う開状態となり、第１ディスプレイ１３１及び第２ディスプレイ１３３が視認可能になる。
【００１３】
図２は、携帯電話機１００の機能構成を示すブロック図である。図２に示すように携帯電話機１００は、通信部１１０と、音声処理部１２０と、表示部１３０と、操作部１４０と、加速度センサ１５０と、記憶部１６０と、制御部１７０とから構成されている。
通信部１１０は、アンテナ１１１を介して無線基地局（図示せず）からの無線信号を受信し、復調し、復調して得られたデータを制御部１７０に伝達する機能と、制御部１７０から伝達されたデータを所定の変調方式に従って変調し、アンテナ１１１を介して無線基地局に送信する機能とを有する。
【００１４】
音声処理部１２０は、制御部１７０の指示に従った音声をスピーカ１２２から出力する機能と、マイク１２１で集音した音声を音声データに変換して制御部１７０に出力する機能とを有する。スピーカ１２２から出力される音声としては、例えば、受信データに基づく通話の音声や、動画の音声がある。また、マイク１２１が集音する音声は、ユーザの通話音声となる。
【００１５】
表示部１３０は、制御部１７０から指示された画像を第１ディスプレイ１３１と第２ディスプレイ１３３とに表示させる機能を有する。第１ディスプレイ１３１及び第２ディスプレイ１３３は、例えば液晶ディスプレイである。第１ディスプレイ１３１は、第１バックライト１３２を備え、第１バックライト１３２を光源として、表示部１３０の指示に基づく画像を表示する機能を有する。同様に、第２ディスプレイ１３３は、第２バックライト１３４を備え、第１バックライト１３４を光源として、表示部１３０の指示に基づく画像を表示する。
【００１６】
第１バックライト１３２及び第２バックライト１３４は共に、その明るさの度合いを段階的に制御可能に構成されている。本実施の形態においては、明るさとして、「０」、「１」、「２」の３段階の設定が可能であるとする。そして、「０」は消灯の設定であり、「１」及び「２」は、点灯の設定であり、かつ、「２」の設定は、「１」の設定よりもバックライトの明るさが明るくなるものとする。すなわち、明るさの度合いは、明るい方から２＞１＞０となっている。なお、当然に明るい方がバックライトの消費電力は高くなる。
【００１７】
操作部１４０は、携帯電話機１００に備えられた各種キー（図示せず）のユーザによる押下を受けて、受け付けた操作内容を制御部１７０に伝達する機能を有する。また、操作部１４０は、第１タッチパッド１４１と第２タッチパッド１４２とを含み、それぞれのタッチパッドにおけるユーザからの入力を受け付けた、すなわち、指やスタイラスなどの接触位置を制御部１７０に伝達する機能を有する。タッチパッド１４１は、図１に示す第１ディスプレイ１３１に重畳して設けられ、タッチパッド１４２は、第２ディスプレイ１３３に重畳して設けられている。なお、タッチパッドとディスプレイとのいずれが最表層となるように構成されていてもよいが、タッチパッドが最表層となる場合には、タッチパッドとしては、透明部材を用いて構成し、ディスプレイに表示された画像が見えるように構成される。なお、タッチパッドとディスプレイとの組み合わせで、タッチパネルと呼称することもある。
【００１８】
加速度センサ１５０は、例えば、３軸加速度センサにより実現され、３軸方向の加速度値を制御部１７０に伝達する機能を有する。筐体の向きには、各筐体１、２が、縦長になる向き（以下、「縦向き」という）と、横長になる向き（以下、「横向き」という）とがある。
記憶部１６０は、携帯電話機１００が動作するために必要な各種アプリケーションプログラム（単にアプリケーションと称することもある）及びそれらのアプリケーションプログラムが必要とするデータを記憶する機能を有する。当該アプリケーションプログラムは、通話アプリケーション、メールアプリケーション、カメラ（図示せず）を用いた撮影アプリケーションなど多岐に渡り、上述の通り、それらのアプリケーションプログラム及びそれらのアプリケーションにおいて使用されるデータ（例えば、画像閲覧用アプリケーション用の画像データや、メールアプリケーション用の過去に他の通信機器とやりとりしたメールデータ等）は記憶部１６０に記憶されている。
【００１９】
これらのアプリケーションプログラムは予め記憶部１６０に記憶されているか、通信部１１０を介して通信ネットワークを介してダウンロードしたものが記憶部１６０に記憶される。
記憶部１６０は、例えば、ＲＡＭ（Random Access Memory）、ＲＯＭ（Read Only Memory）を含み、ハードディスクやフラッシュメモリなどにより構成される。
【００２０】
制御部１７０は、携帯電話機１００の各機能部を制御する機能を有するＣＰＵ（Central Processing Unit）である。制御部１７０は、記憶部１６０から各種のアプリケーション用のプログラムを読みだして実行することで、各種の機能（例えば、通話機能や、メール機能、動画再生機能などの携帯電話機が通常、有する機能）を実現する。
制御部１７０は、アプリケーション実行部１７１とバックライト制御部１７３とを含んで構成される。
【００２１】
アプリケーション実行部１７１は、各種のアプリケーションプログラムを記憶部１６０から読みだして実行する機能を有する。アプリケーション実行部１７１が実行するアプリケーションによっては、表示部１３０の各ディスプレイに画像を表示させるためのＡＰＩ（Application Program Interface）や各バックライトの明るさを制御するＡＰＩを利用する。携帯電話機のＯＳ（Operating System）にはそれらの表示制御やバックライトの明るさの制御を実行できるＡＰＩが予め規定されている。
【００２２】
表示内容制御部１７２は、それらのアプリケーションに規定されたＡＰＩに従い、画像を第１ディスプレイ１３１、第２ディスプレイ１３３の一方あるいは両方に画像を表示させる指示を表示部１３０に出力する機能と、第１バックライト１３２と第２バックライト１３４の一方あるいは両方の明るさを制御するための指示をバックライト制御部１７３に出力する機能を有する。このとき、アプリケーション実行部１７１は、加速度センサ１５０から加速度値を取得し、その加速度値に基づき、携帯電話機１００が縦向き、横向きのいずれの向きで使用されているかを決定して、画像を表示するディスプレイ及び画像の表示の向きを決定する。加速度センサ１５０は、携帯電話機に搭載された際に、携帯電話機１００に設定された３軸方向それぞれに対する加速度成分を出力するので、これによって携帯電話機の向きが検出できる。携帯電話機１００が縦向きであるか、横向きであるかの判定は、予め縦向きの場合の加速度値範囲と横向きの場合の加速度値範囲とを設定しておき、加速度センサ１５０が検出した加速度値がいずれの範囲に属するかを判定することによって実現する。
【００２３】
なお、表示内容制御部１７２は、アプリケーションにおいてバックライトの制御に関する設定がなされておらず、かつ、画像を表示するＡＰＩが含まれていた場合には、バックライト制御部１７３には、明度「２」で点灯させる指示を出力する。このとき、アプリケーション実行部１７１は、加速度センサ１５０から出力された加速度値に応じて、携帯電話機１００の使用されている向きを特定し、特定した向きに応じて、第１ディスプレイ１３１と第２ディスプレイ１３３のそれぞれに表示すべき画像及び対応するバックライトを点灯させる際の明るさを決定して、バックライト制御部１７３に指示する。
【００２４】
バックライト制御部１７３は、アプリケーション実行部１７１から指示された明るさで第１バックライト１３２及び第２バックライト１３４それぞれの明るさを制御する機能を有する。なお、バックライト制御部１７３は、アプリケーション実行部１７１が一つの明るさしか指示しなかった場合には、両方のバックライトをその指示された明るさで点灯させる。
＜動作＞
次に、本実施の形態の動作を図３に示すフローチャートを用いて説明する。
【００２５】
本フローチャートは、アプリケーション実行部１７１が実行するアプリケーションにおいて画像を表示するためのＡＰＩ及びバックライトの明るさを制御するためのＡＰＩを利用している場合の制御の一般的動作を説明するものであり、各種の具体例については後述する。
図３に示すように、携帯電話機１００のアプリケーション実行部１７１は、ユーザの操作に従って指定されるアプリケーションプログラムを記憶部１６０から読みだして、当該アプリケーションプログラムの実行を開始する（ステップＳ３０１）。
【００２６】
アプリケーション実行部１７１は、加速度センサ１５０から加速度値を取得し、携帯電話機１００が縦向き、横向きのいずれの向きで使用されているかを検知する（ステップＳ３０２）。
アプリケーション実行部１７１の表示内容制御部１７２は、携帯電話機の向きに応じて、第１ディスプレイ１３１と第２ディスプレイ１３３とで表示する画像それぞれを決定し、表示部１３０にその画像を表示させる（ステップＳ３０３）。
【００２７】
このとき、アプリケーション実行部１７１は、携帯電話機１００を縦向き、横向きのいずれの状態で使用しているかと、アプリケーションプログラムにおいて、２つのディスプレイにどのような画像を表示するかとによって設定されている第１バックライト１３２と第２バックライト１３４との明るさを決定し、バックライト制御用のＡＰＩを用いて、バックライト制御部１７３に第１バックライト１３２と第２バックライト１３４とを決定した明るさで点灯させる（ステップＳ３０４）。
【００２８】
アプリケーション実行部１７１は、状態の変化があった場合には（ユーザからの操作入力があった場合と、加速度センサ１５０の出力する加速度の変化による携帯電話機１００の向きの変更が検出された場合）（ステップＳ３０５のＹＥＳ）、ステップＳ３０３に戻る。
状態の変化がない場合であって（ステップＳ３０５のＮＯ）、アプリケーション実行部１７１は、アプリケーションの終了操作が行われた場合には（ステップＳ３０６のＹＥＳ）、当該アプリケーションによる操作を終了する。アプリケーションの終了操作が行われていない場合には（ステップＳ３０６のＮＯ）、ステップＳ３０５に戻る。
【００２９】
以下、上記動作によって行われるバックライトの制御方法と表示内容の具体例を説明する。
＜表示具体例１とバックライト制御方法１＞
携帯電話機１００は、図４に示すように筺体１、２に備えられている第１ディスプレイ１３１と第２ディスプレイ１３３とを互いに近接させることにより、あたかも一つのディスプレイであるかのように用いることができる。
【００３０】
携帯電話機１００は、図４に示すように、その２つのディスプレイ１３１、１３３を用いて一つの画像を表示することができる。図４に示す状態が携帯電話機１００を横向きに使用している状態での表示例を示している。
また、図５に示すように、筺体を図４の状態から９０度回転させて、縦向きにした状態でもその表示は可能である。図５に示すように、携帯電話機１００は、図４と同様に一枚の花の画像を表示する。
【００３１】
このとき、２つのディスプレイ１３１、１３３で１枚の画像を表示することから、２つのディスプレイに対応するバックライトの明るさに差があった場合には、ユーザは、見る画像に違和感を覚えてしまう。そのため、このように２つのディスプレイに跨って一枚の画像を表示するような場合には、２つのバックライトの明るさを同じ明るさ（設定値：２）で制御する。
【００３２】
即ち、図３のステップＳ３０４において、アプリケーションでは、２つのディスプレイを用いて一枚の画像を表示するように設定され、かつ、２つのバックライトの明るさを「２」に設定するように規定されている。
なお、アプリケーションに応じて、２つのバックライトの明るさの設定値を「１」でそろえてもよいが、ユーザの画像の見やすさを考慮すると、より明るく設定してある方が好ましい。
【００３３】
この表示具体例１のように、２つのディスプレイに跨って何らかの表示物を表示する場合には、２つのバックライトの明るさを同じ明るさになるように設定する。
＜表示具体例２とバックライト制御方法２＞
携帯電話機１００は、その実行しているアプリケーションに応じて、例えば、図６に示すように、一方のディスプレイには、記憶部１６０が保持している複数の画像のうち、第１ディスプレイ１３１内に表示可能な個数のサムネイルを表示するとともに、その第１ディスプレイ１３１のサムネイルにおいて選択状態となっている画像（他のサムネイルよりも大きく表示される画像）の拡大画像を、第２ディスプレイ１３３に表示する。ユーザが別のサムネイルをタッチした場合には、タッチしたそのサムネイルの拡大画像が第２ディスプレイ１３３に表示されることとなる。
【００３４】
このような使用形態においては、ユーザは、拡大画像の方を注視することが多くなるため拡大画像を表示しているディスプレイに対応するバックライトの方を他方よりも明るくする。
このとき、このような表示を実行するアプリケーションにおいては、図３のステップＳ３０４におけるバックライトの設定は、サムネイルを表示している第１ディスプレイ１３１の第１バックライト１３２の設定値を「１」に、拡大画像を表示している第２ディスプレイ１３３の第２バックライト１３４の設定値を「２」に設定することが規定されている。表示内容制御部１７２は、この規定に従い、バックライト制御部１７３に第１バックライト１３２の設定値が「１」で、第２バックライト１３４の設定値が「２」であるという指示を出力し、バックライト制御部１７３は、当該指示に基づき、第１バックライト１３２を暗く、第２バックライト１３４を明るく点灯させる。これにより、第１バックライト１３２の消費電力を抑制することができる。
【００３５】
なお、図６は、携帯電話機１００を横向きに使用している場合の表示例であるが、これを縦向きにした場合には、図７に示すような表示例となる。図６と図７との表示の切り替えは上述の通り、加速度センサ１５０の出力する加速度の変化に応じてなされる。
また、図６及び図７においては、暗い方の画面にはハッチングをかけて、明るい方の画面よりも暗くなっていることを示している。
【００３６】
これらの制御におけるバックライトの明るさの制御（どちらのバックライトの明度を「２」に他方を「１」に設定するかの制御）は、実行しているアプリケーションに応じて、予め定められている。
＜表示具体例３とバックライト制御方法３＞
さらには、携帯電話機１００は、図８に示すように、第１ディスプレイ１３１で入力用のキー、例えばＱＷＥＲＴＹキーを構成し、もう一方の第２ディスプレイ１３３に当該ＱＷＥＲＴＹキーで入力した内容を表示することもできる。ＱＷＥＲＴＹキーへの入力は第１ディスプレイ１３１に重畳されている第１タッチパッド１４２の検出位置に基づいて実行される。
【００３７】
通常、このような使用形態では、ユーザは主として、入力した内容に注視する。したがって、入力内容を表示するディスプレイのバックライトの明るさを、ＱＷＥＲＴＹキーを表示する方のディスプレイのバックライトの明るさよりも、明るくする。
即ち、バックライト制御部１７３は、表示内容制御部１７２からの指示に従い、ＱＷＥＲＴＹキーを表示する第１ディスプレイ１３１の第１バックライト１３２の明るさを「１」に、入力内容を表示する第２ディスプレイ１３３の第２バックライト１３４の明るさを「２」に設定する。図８では、暗い方の画面、すなわち、第１ディスプレイ１３１側にハッチングをかけて第２ディスプレイ１３３よりも暗くなっていることを示している。
【００３８】
これにより、第１バックライト１３２の消費電力を抑制できる。また、図８は横向きの場合の使用形態を示しているが、このとき第２ディスプレイ１３３が第１ディスプレイ１３１よりも上側にあることにより、第２ディスプレイ１３３に対応する第２バックライト１３４の明るさが下側の第１ディスプレイ１３１に照射されることにより、ある程度、第１ディスプレイ１３１の暗さを補うことができる。
【００３９】
一方、同じディスプレイ内容のまま、図９に示すように、携帯電話機１００を縦向きにして使用することもできる。
このとき、ディスプレイのバックライトの明るさは左右での調整を行うことになる。すると、入力内容を表示している領域の左右で明るさが違った場合、そして、ＱＷＥＲＴＹキーの左右で明るさが違った場合には、ユーザは違和感を覚えることとなる。
【００４０】
そのため、図９の使用形態においては、２つのディスプレイに跨って一つの画像を表示している場合と同様に、両ディスプレイの明るさを同じ明るさとするべく２つのバックライト１３２、１３４の明るさを２つとも「２」に設定する。
＜まとめ＞
以上の表示具体例に示したように、２つのディスプレイそれぞれに対応するバックライトの明るさを、携帯電話機１００の使用形態に応じて、制御することにより、常に両ディスプレイを明るく保つことがなくなるため、消費電力の抑制を図ることができる。このとき、２つのディスプレイに跨って何らかの画像を表示する場合には、２つのディスプレイに対応するバックライトの明るさを同じ明るさに設定し、それ以外の場合には、一方の画面、特にユーザが注視しない方のディスプレイのバックライトの明るさを、ユーザが注視する方のディスプレイのバックライトの明るさよりも暗くすることで、消費電力を抑制することができる。
＜補足１＞
上記実施の形態において、本発明を説明してきたが、本発明は上記実施の形態に限られないことは勿論である。以下、上記実施の形態以外に本発明の思想として含まれる各種の変形例について説明する。
【００４１】
（１）上記実施の形態においては、携帯電話機１００は、スライド型携帯電話機であるとして説明したが、携帯電話機１００は、２つのディスプレイとそれぞれに対応するバックライトを備え、当該バックライトの明るさを段階的に制御できるものであればよく、例えば、２つのディスプレイを備える折りたたみ型の携帯電話機であってもよい。この場合の折りたたみ型携帯電話機は、折りたたんだ状態では２つのディスプレイが対向し、開いた状態で２つのディスプレイを１体のディスプレイであるかのような使用ができるものとする。
【００４２】
（２）上記実施の形態においては、携帯通信端末の一実施形態として、携帯電話機をその一例として説明したが、本発明にかかる携帯通信端末は、携帯電話機以外の通信端末、例えば、２つのディスプレイとそれぞれに対応する明るさを段階的に制御するバックライトを備えるＰＤＡなどのような端末であってもよい。
（３）上記実施の形態においては、携帯通信端末のバックライトの明るさは、３段階（０〜２：消灯〜明るい）で制御することとしたが、これは、３段階に限定されるものではなく、より、多くの段階で明るさ、例えば５段階、で制御することとしてもよい。
【００４３】
その場合には、携帯電話機１００には、２つのバックライトの明るさは、アプリケーションごとに、それぞれで表示する画像と加速度センサの出力値とに基づいて定まる２つのディスプレイの相対位置関係に応じて、どの明るさで点灯させるのかを予め設定しておく。そして、携帯電話機１００は、携帯電話機１００の向きに応じて、バックライトの明るさの制御を実行する。
【００４４】
さらには、携帯電話機１００は、例えば、携帯電話機１００に照度センサを備えて、周囲の明るさに応じてのバックライトの制御を実行することとしてもよい。
（４）上記実施の形態において、明るさの度合いの設定はアプリケーションレベルで設定していたが、これは、加速度センサ１５０の加速度値に基づいて定まる携帯電話機の向きに応じて、携帯電話機１００を横向きで使用する場合には、常に、上側のディスプレイを明るさ「２」に設定し、下側のディスプレイの明るさを「１」に設定するというＯＳレベルでの設定を行ってもよい。携帯電話機１００を横向きで使用した場合には、上側のディスプレイの明るさが下側のディスプレイの明るさの不足分を補うことができるので、このような制御を行ってもよい。
【００４５】
（５）上記実施の形態において、明るさの度合いは明るい方から、２＞１＞０としたが、これは、その逆に設定することとしてもよい。
（６）上記実施の形態において、第１ディスプレイは第２ディスプレイは、一例として、液晶ディスプレイであるとしたが、これは、液晶ディスプレイ以外のディスプレイであってもよく、画像を表示できるものであれば、プラズマディスプレイや有機ＥＬディスプレイなどであってもよい。
【００４６】
（７）上記実施の形態においては、アプリケーションごとにバックライト双方の設定値を各状況に応じて設定されていることとしたが、これ以外の手法を以てバックライトの制御を実行することとしてもよい。
例えば、第１ディスプレイ１３１と第２ディスプレイ１３３とで表示する画像に「重要度」というパラメータを設定しておき、「重要度」の高い方の画像を表示しているディスプレイに対応するバックライトの明るさを「２」に、「重要度」の低い方の画像を表示しているディスプレイに対応するバックライトの明るさを「１」に設定するように制御することとしてもよい。
【００４７】
また、さらには、表示内容制御部１７２が表示しようとしている表示対象物（何らかの画像）が第１ディスプレイ１３１と第２ディスプレイ１３３との両方に跨って表示するか否かを判定し、両ディスプレイに表示物が跨る場合には、表示内容制御部１７２は、２つのバックライトの明るさを同じ明るさに設定するようにバックライト制御部１７３に指示し、両ディスプレイに表示物が跨らない場合には、一方のディスプレイの明るさを他方のものよりも暗くするように指示する構成としてもよい。そして、いずれのディスプレイを暗くするかについての判断を上述の重要度を用いて判断することとしてもよい。
【００４８】
（８）上記実施の形態で示した各機能構成要素（アプリケーション実行部１７１、バックライト制御部１７３等）は、その機能を実行する回路として実現されてもよいし、１又は複数のプロセッサによりプログラムを実行することで実現されてもよい。また、上記実施の形態で示した各機能構成要素は、ＩＣ、ＬＳＩその他の集積回路のパッケージとして構成されるものとしてもよい。このパッケージは各種装置に組み込まれて利用に供され、これにより各種装置は、各実施形態で示したような各機能を実現するようになる。
【００４９】
（９）上述の実施形態で示したバックライトの明るさの制御に係る動作、明るさ制御処理等（図３参照）を携帯電話機等のプロセッサ、及びそのプロセッサに接続された各種回路に実行させるためのプログラムコードからなる制御プログラムを、記録媒体に記録すること、又は各種通信路等を介して流通させ頒布させることもできる。このような記録媒体には、ＩＣカード、ハードディスク、光ディスク、フレキシブルディスク、ＲＯＭ、フラッシュメモリ等がある。流通、頒布された制御プログラムはプロセッサに読み出され得るメモリ等に格納されることにより利用に供され、そのプロセッサがその制御プログラムを実行することにより、実施形態で示したような各種機能が実現されるようになる。
＜補足２＞
以下、更に本発明の一実施形態としての携帯通信端末の構成及びその変形例と効果について説明する。
【００５０】
（ａ）本発明の一実施形態に係る携帯通信端末は、第１バックライト（１３２）を備える第１ディスプレイ（１３１）と、第２バックライト（１３４）を備える第２ディスプレイ（１３３）と、前記第１ディスプレイと前記第２ディスプレイとに画像を表示する表示部（１３０）と、前記第１バックライトと前記第２バックライトとの明るさを決定し、前記第１バックライトと前記第２バックライトとのそれぞれの明るさを前記第１ディスプレイと前記第２ディスプレイとに表示する画像に基づいて互いに異なる明るさに設定する制御部（１７０）とを備えることを特徴とする。
【００５１】
また、本発明の一実施形態に係るバックライト制御方法は、第１バックライトを備える第１ディスプレイと、第２バックライトを備える第２ディスプレイとを備える携帯通信端末におけるバックライト制御方法であって、前記第１ディスプレイと前記第２ディスプレイとに画像を表示する表示ステップと、前記第１バックライトと前記第２バックライトとの明るさを決定し、前記第１バックライトと前記第２バックライトとのそれぞれの明るさを前記第１ディスプレイと前記第２ディスプレイとに表示する画像に基づいて互いに異なる明るさに設定する制御ステップとを含むことを特徴とする。
【００５２】
また、本発明の一実施形態に係る記録媒体は、第１バックライトを備える第１ディスプレイと、第２バックライトを備える第２ディスプレイとを備える携帯通信端末のコンピュータにバックライトを制御させるための処理手順を示したバックライト制御プログラムを記録したコンピュータ読み取り可能な記録媒体であって、前記処理手順は、前記第１ディスプレイと前記第２ディスプレイとに画像を表示する表示ステップと、前記第１バックライトと前記第２バックライトとの明るさを決定し、前記第１バックライトと前記第２バックライトとのそれぞれの明るさを前記第１ディスプレイと前記第２ディスプレイとに表示する画像に基づいて互いに異なる明るさに設定する制御ステップとを含むことを特徴とする。
【００５３】
これにより、一方のバックライトの明るさを他方のものよりも暗くすることで、消費電力を抑制できる。
（ｂ）上記（ａ）に記載の携帯通信端末において、前記制御部は、前記第１ディスプレイに表示させる画像と、第２ディスプレイに表示させる画像について、前記表示部が一の表示物を２つのディスプレイに跨って表示しない場合に２つのバックライトを互いに異なる明るさに設定することとしてもよい。
【００５４】
また、上記（ａ）に記載の携帯通信端末において、前記ア制御部は、前記第１ディスプレイに表示させる画像と、第２ディスプレイに表示させる画像について、前記表示部が一の表示物を２つのディスプレイに跨って表示する場合に２つのバックライトを同じ明るさに設定することとしてもよい。
これにより、ユーザに違和感のない画像を視聴させつつ、バックライトの消費電力を抑制することができる。
【００５５】
（ｃ）上記（ａ）に記載の携帯通信端末において、前記携帯通信端末は、更に、加速度センサ（１５０）を備え、前記制御部は、前記加速度センサから取得した加速度から定まる自端末の向きに応じて前記第１バックライトと前記第２バックライトとの明るさの制御を実行することとしてもよい。
これにより、携帯通信端末は、加速度センサに基づく自端末の向きに応じて、２つのバックライトの制御を実行することができる。
【００５６】
（ｄ）上記（ｃ）に記載の携帯通信端末において、前記制御手段は、前記第１ディスプレイと前記第２ディスプレイとのうち、前記加速度センサから出力された加速度から求まる鉛直方向における下側となるディスプレイに対応するバックライトの明るさを、上側のディスプレイに対応するバックライトの明るさよりも暗くなるように制御することとしてもよい。
【００５７】
これにより、上側にくるディスプレイを下側のディスプレイよりも明るくすることで、下側のディスプレイの消費電力を抑制するとともに、上側のディスプレイのバックライトの光が下側のディスプレイにも照射されることにより、下側のディスプレイの明るさの不足を補うことができる。
（ｅ）上記（ａ）〜（ｄ）に記載の携帯通信端末において、前記第１ディスプレイ及び前記第２ディスプレイのうち少なくともいずれか一方がタッチパネルであることとしてもよい。
【００５８】
これにより、タッチパネルとして構成されている第１ディスプレイ（又は第２ディスプレイ）に表示された表示物を対象とした入力操作を実行することができる。
【産業上の利用可能性】
【００５９】
本発明に係る携帯通信端末は、消費電力の少ない携帯電話機として活用することができる。
【符号の説明】
【００６０】
１００  携帯電話機
１１０  通信部
１１１  アンテナ
１２０  音声処理部
１２１  マイク
１２２  スピーカ
１３０  表示部
１３１  第１ディスプレイ
１３２  第１バックライト
１３３  第２ディスプレイ
１３４  第２バックライト
１４０  操作部
１４１  第１タッチパッド
１４２  第２タッチパッド
１５０  加速度センサ
１６０  記憶部
１７０  制御部
１７１  アプリケーション実行部
１７２  表示内容制御部
１７３  バックライト制御部
【図１】
0005628657.tif 000002
【図２】
0005628657.tif 000003
【図３】
0005628657.tif 000004
【図４】
0005628657.tif 000005
【図５】
0005628657.tif 000006
【図６】
0005628657.tif 000007
【図７】
0005628657.tif 000008
【図８】
0005628657.tif 000009
【図９】
0005628657.tif 000010